【手続補正書】
【提出日】平成27年7月3日(2015.7.3)
【手続補正１】
【補正対象書類名】明細書
【補正対象項目名】００１３
【補正方法】変更
【補正の内容】
【００１３】
本発明の目的を達成するために、例えば、本発明の画像処理装置は、それぞれの画像について、該画像に対する画像認識処理によって得られた該画像中の１以上のオブジェクトのそれぞれの属性及び認識尤度を、該画像と関連付けて登録しているデータベースにアクセス可能な画像処理装置であって、
クエリ画像に対して画像認識処理を行うことで該クエリ画像中のオブジェクトの属性を取得し、該取得した属性と関連付けて前記データベースに登録されている画像を特定する特定手段と、
前記特定手段が特定した画像と関連づけて前記データベースに登録されている認識尤度を、前記クエリ画像に対する該特定した画像の類似度とし、該特定した画像に関する情報と、該類似度と、を画像検索結果として出力する出力手段と
を備えることを特徴とする。
【手続補正２】
【補正対象書類名】特許請求の範囲
【補正対象項目名】全文
【補正方法】変更
【補正の内容】
【特許請求の範囲】
【請求項１】
それぞれの画像について、該画像に対する画像認識処理によって得られた該画像中の１以上のオブジェクトのそれぞれの属性及び認識尤度を、該画像と関連付けて登録しているデータベースにアクセス可能な画像処理装置であって、
クエリ画像に対して画像認識処理を行うことで該クエリ画像中のオブジェクトの属性を取得し、該取得した属性と関連付けて前記データベースに登録されている画像を特定する特定手段と、
前記特定手段が特定した画像と関連づけて前記データベースに登録されている認識尤度を、前記クエリ画像に対する該特定した画像の類似度とし、該特定した画像に関する情報と、該類似度と、を画像検索結果として出力する出力手段と
を備えることを特徴とする画像処理装置。
【請求項２】
前記出力手段は、前記特定した画像に関する情報と、前記類似度と、のセットを、類似度が高い順で出力することを特徴とする請求項１に記載の画像処理装置。
【請求項３】
前記出力手段は、
前記クエリ画像に対する画像認識処理の結果、画像認識できたオブジェクトが１つも存在しなかった場合には、前記データベースに登録されている画像のうち、前記クエリ画像に対する画像認識処理により得られた前記クエリ画像の特徴量と類似する特徴量を有する画像に関する情報を出力することを特徴とする請求項１又は２に記載の画像処理装置。
【請求項４】
それぞれの画像について、該画像に対する画像認識処理によって得られた該画像中の１以上のオブジェクトのそれぞれの属性と特徴量と認識尤度とを、該画像と関連付けて登録しているデータベースにアクセス可能な画像処理装置であって、
前記データベースに属性と特徴量と認識尤度とが登録されていない新規オブジェクトを認識するために生成された検出器と、前記データベースに登録済みの特徴量と、を用いて、前記データベースに登録済みの画像から該新規オブジェクトを認識し、該認識した新規オブジェクトの属性と特徴量と認識尤度とを、該登録済みの画像と関連付けて前記データベースに登録する認識手段と、
クエリ画像に対して、前記新規オブジェクトの認識処理を含む画像認識処理を行うことで該クエリ画像中のオブジェクトの属性を取得し、該取得した属性と関連付けて前記データベースに登録されている画像を特定する特定手段と、
前記特定手段が特定した画像と関連づけて前記データベースに登録されている認識尤度を、前記クエリ画像に対する該特定した画像の類似度とし、該特定した画像に関する情報と、該類似度と、を画像検索結果として出力する出力手段と
を備えることを特徴とする画像処理装置。
【請求項５】
それぞれの画像について、該画像に対する画像認識処理によって得られた該画像中の１以上のオブジェクトのそれぞれの属性及び領域を、該画像と関連付けて登録しているデータベースにアクセス可能な画像処理装置であって、
クエリ画像に対して画像認識処理を行うことで該クエリ画像中のオブジェクトの属性を取得し、該取得した属性と関連付けて前記データベースに登録されている領域を特定する特定手段と、
前記特定手段が特定した領域について画像認識処理で得られた特徴量と、前記クエリ画像において該領域に対応する領域について画像認識処理で得られた特徴量と、の類似度を求める手段と、
前記特定手段が特定した領域と関連付けて前記データベースに登録されている画像に関する情報と、前記類似度と、を画像検索結果として出力する出力手段と
を備えることを特徴とする画像処理装置。
【請求項６】
それぞれの画像について、該画像に対する画像認識処理によって得られた該画像中の１以上のオブジェクトのそれぞれの属性及び認識尤度を、該画像と関連付けて登録しているデータベースにアクセス可能な画像処理装置であって、
クエリ画像に対して画像認識処理を行うことで該クエリ画像中のオブジェクトの属性を取得し、該取得した属性と関連付けて前記データベースに登録されている画像を特定する特定手段と、
前記クエリ画像に対する画像認識処理で得られる特徴量と、前記特定手段が特定した画像に対する画像認識処理で得られる特徴量と、の類似度を求める手段と、
前記特定手段が特定した画像と関連づけて前記データベースに登録されている認識尤度と、前記類似度と、の重み付け加算により得られる総合類似度を、前記クエリ画像に対する該特定した画像の類似度とし、該特定した画像に関する情報と、該類似度と、を画像検索結果として出力する出力手段と
を備えることを特徴とする画像処理装置。
【請求項７】
それぞれの画像について、該画像に対する画像認識処理によって得られた該画像中の１以上のオブジェクトのそれぞれの属性及び認識尤度を、該画像と関連付けて登録しているデータベースにアクセス可能な画像処理装置が行う画像処理方法であって、
前記画像処理装置の特定手段が、クエリ画像に対して画像認識処理を行うことで該クエリ画像中のオブジェクトの属性を取得し、該取得した属性と関連付けて前記データベースに登録されている画像を特定する特定工程と、
前記画像処理装置の出力手段が、前記特定工程で特定した画像と関連づけて前記データベースに登録されている認識尤度を、前記クエリ画像に対する該特定した画像の類似度とし、該特定した画像に関する情報と、該類似度と、を画像検索結果として出力する出力工程と
を備えることを特徴とする画像処理方法。
【請求項８】
それぞれの画像について、該画像に対する画像認識処理によって得られた該画像中の１以上のオブジェクトのそれぞれの属性と特徴量と認識尤度とを、該画像と関連付けて登録しているデータベースにアクセス可能な画像処理装置が行う画像処理方法であって、
前記画像処理装置の認識手段が、前記データベースに属性と特徴量と認識尤度とが登録されていない新規オブジェクトを認識するために生成された検出器と、前記データベースに登録済みの特徴量と、を用いて、前記データベースに登録済みの画像から該新規オブジェクトを認識し、該認識した新規オブジェクトの属性と特徴量と認識尤度とを、該登録済みの画像と関連付けて前記データベースに登録する認識工程と、
前記画像処理装置の特定手段が、クエリ画像に対して、前記新規オブジェクトの認識処理を含む画像認識処理を行うことで該クエリ画像中のオブジェクトの属性を取得し、該取得した属性と関連付けて前記データベースに登録されている画像を特定する特定工程と、
前記画像処理装置の出力手段が、前記特定工程で特定した画像と関連づけて前記データベースに登録されている認識尤度を、前記クエリ画像に対する該特定した画像の類似度とし、該特定した画像に関する情報と、該類似度と、を画像検索結果として出力する出力工程と
を備えることを特徴とする画像処理方法。
【請求項９】
それぞれの画像について、該画像に対する画像認識処理によって得られた該画像中の１以上のオブジェクトのそれぞれの属性及び領域を、該画像と関連付けて登録しているデータベースにアクセス可能な画像処理装置が行う画像処理方法であって、
前記画像処理装置の特定手段が、クエリ画像に対して画像認識処理を行うことで該クエリ画像中のオブジェクトの属性を取得し、該取得した属性と関連付けて前記データベースに登録されている領域を特定する特定工程と、
前記画像処理装置の類似度を求める手段が、前記特定工程で特定した領域について画像認識処理で得られた特徴量と、前記クエリ画像において該領域に対応する領域について画像認識処理で得られた特徴量と、の類似度を求める工程と、
前記画像処理装置の出力手段が、前記特定工程で特定した領域と関連付けて前記データベースに登録されている画像に関する情報と、前記類似度と、を画像検索結果として出力する出力工程と
を備えることを特徴とする画像処理方法。
【請求項１０】
それぞれの画像について、該画像に対する画像認識処理によって得られた該画像中の１以上のオブジェクトのそれぞれの属性及び認識尤度を、該画像と関連付けて登録しているデータベースにアクセス可能な画像処理装置が行う画像処理方法であって、
前記画像処理装置の特定手段が、クエリ画像に対して画像認識処理を行うことで該クエリ画像中のオブジェクトの属性を取得し、該取得した属性と関連付けて前記データベースに登録されている画像を特定する特定工程と、
前記画像処理装置の類似度を求める手段が、前記クエリ画像に対する画像認識処理で得られる特徴量と、前記特定工程で特定した画像に対する画像認識処理で得られる特徴量と、の類似度を求める工程と、
前記画像処理装置の出力手段が、前記特定工程で特定した画像と関連づけて前記データベースに登録されている認識尤度と、前記類似度と、の重み付け加算により得られる総合類似度を、前記クエリ画像に対する該特定した画像の類似度とし、該特定した画像に関する情報と、該類似度と、を画像検索結果として出力する出力工程と
を備えることを特徴とする画像処理方法。
【請求項１１】
コンピュータを、請求項１乃至６の何れか１項に記載の画像処理装置の各手段として機能させるためのコンピュータプログラム。